(57)【要約】      （修正有）【課題】使用時にファスナー部分に隙間や、環境変化で緩みができる緊縛機能低下を防止し、かつ外部に対する表示機能をはじめとする多機能を付与する構成を実現する結束バンド用多機能緩衝部材を提供する。【解決手段】結束バンドに取り付け可能な多機能緩衝部材である本体部１は、弾力性素材は伸縮性又は軟質性及び一部分を硬質性のいずれかの素材で構成されており、ガイド部２が設けてあって、２は結束バンドを誘導可能な溝部６と挿通部７を設けてあって、断面形状は両端が互いに近寄るスロープ状の傾斜面にガイド部２が設けられ、結束バンド接触面８は前記スロープ状の傾斜と、被緊縛物接触面９の円弧面または平面の形状で構成される略台形を表している。【選択図】図１
0003208957.tif 000002
【実用新案登録請求の範囲】
【請求項１】
結束バンドと被緊縛物との間に取り付けて用いる緩衝部材であって、前記結束バンドに接する結束バンド接触面であって、互いに近寄る傾斜面を有するものと、
前記被緊縛物に接する被緊縛物接触面と、前記結束バンド接触面に形成されるガイド部とを有し、弾力性素材で構成される結束バンド用多機能緩衝部材。
【請求項２】
前記弾力性素材で構成される本体部は、結束バンド接触面又は被緊縛接触面の両接触面に少なくとも、窪み部、切込み部、前記本体部を貫通する開口部とを有することを特徴とする請求項１に記載の結束バンド用多機能緩衝部材。
【請求項３】
前記ガイド部は、前記結束バンド接触面に結束バンドを配設しやすくするベルトガイドとして機能する溝部であることを特徴とする請求項１から請求項２のいずれかに記載の結束バンド用多機能緩衝部材。
【請求項４】
前記ガイド部は、前記結束バンドが挿通する結束バンド挿通孔を、前記結束バンド接触面に形成する結束バンド挿通部であることを特徴とする請求項１又は請求項３のいずれかに記載の結束バンド用多機能緩衝部材。
【請求項５】
前記結束バンド挿通部は、前記結束バンドのファスナー機能を有することを特徴とする請求項１から請求項４のいずれかに記載の結束バンド多機能緩衝部材。
【請求項６】
前記結束バンド接触面は、断面台形形状を有する角柱の少なくとも傾斜面によって形成されることを特徴とする請求項１から請求項５いずれかに記載の結束バンド用緩衝部材。
【請求項７】
前記被緊縛物接触面は円弧面または平面によって形成されることを特徴とする請求項１から請求項６いずれかに記載の結束バンド多機能緩衝部材。
【請求項８】
前記互いに近寄る傾斜面が形成する角度が、結束バンドファスナー部に対する結束バンド帯状ベルトの進入角度に等しいことを特徴とする請求項１から請求項７のいずれかに記載の結束バンド多機能緩衝部材。
【請求項９】
前記結束バンド接触面から連続して形成される帯状の延長結束バンド接触面を有する帯状部材と、前記延長結束バンド接触面に形成される延長ガイド部とを有する請求項１から請求項８のいずれかに記載の結束バンド用多機能緩衝部材。
【請求項１０】
前記延長結束バンド接触面を有する帯状部材は、長さ調節用に切り離し可能な切り込み部を設けた延長ガイド部とを有する請求項１から請求項９のいずれかに記載の結束バンド用多機能緩衝部材。
【請求項１１】
外部に対して所定の情報を表示する表示部を有する請求項１から請求項１０のいずれかに記載の結束バンド用多機能緩衝部材。
【請求項１２】
外部に対して取り付けるための平面部を有する請求項１から請求項１１のいずれかに記載の結束バンド用緩衝部材。
【請求項１３】
外部に対して意匠的特徴を与える装飾部を有する請求項１から請求項１２のいずれかに記載の結束バンド用多機能緩衝部材。
【請求項１４】
前記結束バンド接触面と、前記被緊縛物接触面は被緊縛物に対して取り付けるための開口部を有する請求項１から請求項１３のいずれかに記載の結束バンド用多機能緩衝部材。
【請求項１５】
前記被緊縛物に対して取り付けるための接着面を有する請求項１から請求項１４のいずれかに記載の結束バンド用多機能緩衝部材。
【請求項１６】
前記結束バンドのファスナー部を有するヘッド部分を包み込む保護カバーが設けられた請求項１から請求項１５のいずれかに記載の結束バンド用緩衝部材。
【請求項１７】
同一平面上に、前記被緊縛物接触面を複数有し、前記被緊縛物接触面のそれぞれに対して、前記結束バンド接触面及び前記ガイド部を有する請求項１から請求項１６のいずれかに記載の結束バンド用多機能緩衝部材。
【請求項１８】
外部に対して取り付けて用いる緩衝部材であって、前記結束バンドに接する結束バンド接触面であって、互いに近寄る傾斜面を有するものと、前記外部に接する外部接触面と、前記結束バンド接触面に形成されるガイド部とを有し、外部に対して取り付けるための開口部を有する結束バンド用多機能緩衝部材。
【考案の詳細な説明】
【技術分野】
【０００１】
本考案は結束バンド使用時において多機能を実現する為の、結束バンドに取り付け可能な緩衝部材に関する。
【背景技術】
【０００２】
背景技術１として、従来の結束バンドは、被緊縛物を締め付け結束する際に、結束バンドの帯状ベルトの先端部をファスナー部挿通孔に挿入して被緊縛物を結束バンドで緊縛することが可能であって、一度被緊縛物を締め付けるとベルト部分が被緊縛物に密着した状態になり緊縛を解除できにくくなることから、緊縛状態を解除するために切断器具を挿入する空間を確保しなければならないという課題があった。
【０００３】
この改善策として結束バンドに取り付け可能なブロック形状のセーフティブロックを配設し離間空間が形成されることでベルトを中空にすることができ、切断器具の使用空間が確保できる。
【０００４】
したがって、結束バンド用セーフティブロック及びセーフティブロック付き結束バンドは、被緊縛物に接触する部分と結束バンドのベルト部分の間で使用することで、結束バンドの切断時に被緊縛物を傷つけず、及び誤切断することが無くなり、結束バンドと被緊縛物の間に切断機具を挿入可能とする空間を確保し結束バンド使用時の緊縛解除を容易にできる。
(例えば、特許文献1参照)。
【０００５】
次に背景技術２として、従来のゴムケース締付け構造は、バックル部にバンド端部を折り曲げて引留めた態様でゴムケースを締付け結束していたが、折り曲げ部が締付けた際、ゴムケース表面に食い込み、他の部分に比べ締付け量が多くなることでゴムケースの表面に亀裂が発生する。  また折り曲げ部とバックルの寸法が厚くなるため、バックルの両端に空間部ができ締付け不足となり気密不良となることで締付けが不十分であるという欠点があった。
【０００６】
上述に述べた課題に対して改善するため、バンド折り曲げ部とゴムケースの間にテーパー状のスペーサを介在させることによりゴムケース表面の亀裂防止と締付け不足による気密不良をなくしゴムケース締付け性能を向上させる構造を確立できる。
【０００７】
したがって、テーパー状のスペーサはバックル部とバンドが常に密着した状態であって、ゴムケースとバックル部及びバンドに隙間が生じない構造であって、密着しやすいテーパー形状であるため緩衝部材として一定の硬軟度を備えて構成されるのでゴムケースの形状に対応できる。
(例えば、実用新案文献１参照)。
【０００８】
しかし、上述テーパー状のスペーサは配設されると、バックル部及びバンドの締付けに抵抗が加わっても加圧で収縮する態様のものでなく、ゴムケースとの間で固定器具として使用されるものであって、結束部材のなかで特に結束バンド(インシュロックタイ)の特性や形状に特化したものではなく、とりわけ結束バンド使用時の弱点を解決する必要がある。
【先行技術文献】
【特許文献】
【０００９】
【特許文献１】特開２００９−１２７９５号    公報
【００１０】
【特許文献２】実開１９８４−４１２５０号    公報
【考案の概要】
【考案が解決しようとする課題】
【００１１】
以上、背景技術１に述べた従来の結束バンド用セーフティブロック及びセーフティブロック付結束バンドは、結束バンド使用時の解除方法として、被緊縛物と結束バンドの間に配設し帯状ベルト部分を当該ブロックで中空に保ち切断しやすい態様となるが、離間空間ができること密着性が無くなり、密着性を必要とされる状況においては使用できなくなり、  また結束バンドの経年劣化や高温度の環境による素材の変化で緊縛力の低下が発生した場合に緊縛不足を補うことができなくなることに加え、当該ブロックは台座による部分的な配設となるため、結束バンドと被緊縛物に当接することで摩擦による傷が発生する恐れがあり、被緊縛物の保護に適さないことを課題とし解決するための目的とした。(例えば、特許文献1参照)。
また、背景技術２に述べたゴムケース締付け構造は、バンド及びバックル部をゴムケースとの間に介在させるテーパー状のスペーサで構成されたものであって、  従来の結束バンド使用時において帯状ベルトは結束バンドのヘッド部に挿入した場合、被緊縛物に対して少なくとも略三角形状の隙間が発生するため緊縛機能が一定ではなく気密低下を塞がなければならないのだが、本考案は逆転の発想で本来塞ぐべき隙間を活用することとし、隙間自体を機能低下の要因にしないため、隙間による気密低下を別の態様で塞ぐ形状に形成することを課題とした。
以上を課題としたが、背景技術であるゴムケースに固定可能とするバンド及びバックル部又は一体型バックル部に構成されるテーパー状のスペーサは、被緊縛物がゴムケース用の締付け構造とされているが、被緊縛物を特定する必要がなく様々な対象物に使用可能とすることも目的とするところである。(例えば、特許文献２参照)。
【課題を解決するための手段】
【００１２】
そして本考案は、上記目的を達成するために、結束バンドと被緊縛物との間に取り付けて用いる緩衝部材であって、前記結束バンドに接する結束バンド接触面であって、互いに近寄る傾斜面を有するものと、前記被緊縛物に接する被緊縛物接触面と、前記結束バンド接触面に形成されるガイド部とを有し、弾力性素材で構成されたものである。
【００１３】
また、第２の解決手段は、  前記弾力性素材で構成される本体部は、前記結束バンド接触面又は前記被緊縛接触面の両接触面に少なくとも、窪み部、切込み部、本体部を貫通する開口部とを設けたものである。
【００１４】
また、第３の解決手段は、前記ガイド部は、前記結束バンド接触面に結束バンドを配設しやすくするベルトガイドとして機能する溝部を設けたものである。
【００１５】
また、第４の解決手段は、前記ガイド部は、前記結束バンドが挿通する結束バンド挿通孔を、前記結束バンド接触面に形成する結束バンド挿通部を設けたものである。
【００１６】
また、第５の解決手段は、前記結束バンド挿通部は、ファスナー機能を設けたものである。
【００１７】
また、第６の解決手段は、前記結束バンド接触面は、断面台形形状を有する角柱の少なくとも傾斜面の形状によって構成したものである。
【００１８】
また、第７の解決手段は、前記被緊縛物接触面は、円弧面または平面によって形成さ  れ構成したものである。
【００１９】
また、第８の解決手段は、前記互いに近寄る傾斜面が形成する角度が、結束バンドファスナー部に対する結束バンド帯状ベルトの進入角度に等しい形状に設けたものである。
【００２０】
また、第９の解決手段は、前記結束バンド接触面から連続して形成される帯状の延長結束バンド接触面を有する帯状部材と、前記延長結束バンド接触面に形成される延長ガイド部とを設けたものである。
【００２１】
また、第１０の解決手段は、前記延長結束バンド接触面を有する帯状部材は、長さ調節用に切り離し可能な切り込み部を有する延長ガイド部とを設けたものである。
【００２２】
また、第１１の解決手段は、外部に対して所定の情報を表示する表示部を設けたものである。
【００２３】
また、第１２の解決手段は、外部に対して取り付けるための平面部を設けたものである。
【００２４】
また、第１３の解決手段は、外部に対して意匠的特徴を与える装飾部を設けたものである。
【００２５】
また、第１４の解決手段は、前記結束バンド接触面と、前記被緊縛物接触面は被緊縛物に対して取り付けるための開口部を設けたものである。
【００２６】
また、第１５の解決手段は、被緊縛物に対して取り付けるための接着面を設けたものである。
【００２７】
また、第１６の解決手段は、前記結束バンドのファスナー部を有するヘッド部分を包み込む保護カバーを設けたものである。
【００２８】
また、第１７の解決手段は、同一平面上に、前記被緊縛物接触面を複数有し、前記被緊縛物接触面のそれぞれに対して、前記結束バンド接触面及び前記ガイド部を設けたものである。
【００２９】
また、第１８の解決手段は、外部に対して取り付けて用いる緩衝部材であって、前記結束バンドに接する結束バンド接触面であって、互いに近寄る傾斜面を有するものと、前記外部に接する外部接触面と、前記結束バンド接触面に形成されるガイド部とを有し、外部に対して取り付けるための開口部を設けたものである。
【考案の効果】
【００３０】
上述したように本考案の結束バンド用多機能緩衝部材は、結束バンドと被緊縛物との間で使用するものであって、弾力性のある素材で構成される本体部は、緊縛時の締め付けによって収縮し密着力が向上することを特徴としており、収縮された本体部は結束バンド使用時に何らかの要因で緊縛力低下が起きた場合に、当該素材に弾力性があることで復元反発力により被緊縛物に対し加圧作用が発生し緊縛機能が保たれることとなる。  また、ガイド部は落下または歪みやズレを無くすという効果がある。
【００３１】
また、請求項２に記載の弾力性素材で構成される本体部は、結束バンド使用時の緊縛力低下に対応するため、当該弾力性素材は軟質性であって伸縮性が備わり収縮と復元反発力を有している。本体部は窪み部、切込み部、開口部が設けられることで収縮しやすく、また収縮した分復元反発力が離間空間に生じやすくなって緊縛機能低下を防止する作用となる。  したがって前述の素材構成である弾力性は離間空間で収縮した伸縮性、又は軟質性の本体部が、被緊縛物の形状に密着しやすく収縮自在な緩衝部材として被緊縛物の保護ができるという効果がある。
【００３２】
また、請求項３に記載の溝部は、当該ガイド部のベルトガイド機能である結束バンド締め付け時に、本体部と帯状ベルトの歪みやズレを矯正することが可能であるという効果がある。
【００３３】
また、請求項４に記載の結束バンド挿通部は、前記ガイド部のベルトガイド機能である溝部の機能が補強され挿通部に帯状ベルトを通すことで取り付け状況が安定し、帯状ベルトの歪みやズレを矯正し、本体部から外れなくなり落下防止にもなる。また当該挿通部は外部に対しての機能が構成される部分であって、  前記台座の如き役割をなす本体部から立設されるガイド部は、挿通部の形状を他の機能に適した形状に形成することで、多くの機能を持たせることが可能であるという効果がある。
【００３４】
また、請求項５に記載のファスナー機能は、当該挿通部の内部に配設した山鋸型状の係止爪を有する調整ストッパー部が設けられ、結束バンド帯状ベルトは前記係止爪に噛み合い自在な山鋸型状の係止溝を有した調整ストッパー部が一対の凸凹の如く噛み合うことで緊縛調整することが可能であるという効果がある。
【００３５】
また、請求項６に記載の角柱の断面形状が台形の如く傾斜面を有していることで本体部と結束バンド使用時の当接する角度が等しくなるが、当該台形形状の上面部は結束バンドとの間で、締め付け時に略三角形状の隙間となり離間空間が発生する。  この離間空間は結束バンド使用状況において弾力性が付与される空間となるため復元反発力の作用で気密性を高めることができるという効果がある。
【００３６】
また、請求項７に記載の被緊縛物接触面の形状は円弧面または平面で形成されることで被緊縛物との密着性が増し気密性が向上することで被緊縛物の形状に幅広く対応できるという効果がある。
【００３７】
また、請求項８に記載の互いに近寄る傾斜面が形成する角度を有する結束バンド接触面は、両端部から適度な距離で、結束バンドファスナー部に対する結束バンド帯状ベルトの進入角度に等しい形状に設けてあって、ファスナー部の直角にできる隙間を塞がず離間空間が生じるように形成され、結束バンドの素材によって本体部の弾力性以外の機能要素で収縮と復元反発力を発生させることができるという効果がある。
【００３８】
また、請求項９に記載の延長された帯状部材を構成する結束バンドの帯状ベルトと当該ベルトに設けられる延長ガイド部は被緊縛物の接触面が広範に広がり被緊縛物に当接する面が多くなることで緩衝部材として広範に保護機能を及ぼすことができるという効果がある。
【００３９】
また、請求項１０に記載の切り離し可能な延長された帯状部材は、被緊縛物の接触面の用途に応じて長さ調整し切り離しが可能であって、当該切り離し可能な帯状部材は、切り離された後に被緊縛物と結束バンドとの間に設けて使用可能な単体の緩衝部材、または結束バンドの保護部材として再利用できるという効果がある。
【００４０】
また、請求項１１に記載の表示部は平面形状を特徴としており被緊縛物の名称または機能などの情報を表示できるという効果がある。
【００４１】
また、請求項１２に記載の平面部は結束バンドを外部に取り付けるための外部固定可能な接着面または取付け開口部が備わり、結束バンドを外部に取り付ける固定器具の使用ができるという効果がある。
【００４２】
また、請求項１３に記載の装飾部は意匠的特徴を表す形状に形成され、様々なデザインや作用物の一体型装飾部材、または着脱可能な装飾部材の形状に形成することができるという効果がある。
【００４３】
また、請求項１４に記載の本体部は、取付け開口部が設けてあることで被緊縛物に対して取り付け可能であって、被緊縛物接触面から、結束バンド接触面とに貫通する開口部には取付け器具を挿入可能とし当該取付け器具を使用することで、被緊縛物を固定可能とし、結束バンドと被緊縛物との間に使用できる緩衝部材という効果がある。
【００４４】
また、請求項１５に記載の接着面は、被緊縛物に接着することで緊縛部分がズレにくくなり被緊縛物に対して気密性が向上することを目的として、被緊縛物に対して取り付けることができるという効果がある。
【００４５】
また、請求項１６に記載の保護カバーは、結束バンドのファスナー部分が外部からの衝撃または摩擦による損傷から、当該ファスナー部分を保護することができるという効果がある。
【００４６】
また、請求項１７に記載の、被緊縛物接触面は規格外の形状に形成可能であって同一平面上に複数の結束バンドを取り付け可能なガイド部を形成することで、結束バンド及び緩衝部材の使用用途が広範となり多目的に使用できることを特徴としており、規格外の被緊縛物に緊縛可能な本体部は必要に応じて被緊縛物を選ばず緊縛する効果がある。
【００４７】
また、請求項１８に記載の、緩衝部材は外部に対して取り付けて用いることが可能であって、結束バンドに接する結束バンド接触面と、外部に接する外部接触面とに形成された本体部は結束バンド接触面にガイド部を有し、外部に対して取り付けるための固定器具を挿入可能な開口部を設けたことで被緊縛物と外部の間で使用する緩衝部材として使用できる効果がある。
【図面の簡単な説明】
【００４８】
【図１】本考案の実施形態を示す結束バンド用多機能緩衝部材の外観斜視図
【図２】同結束バンド用多機能緩衝部材を示す正面図
【図３】同結束バンド用多機能緩衝部材の結束バンド接触面を示す平面図
【図４】同結束バンド用多機能緩衝部材の図３におけるＡ−Ａ’線断面図
【図５】同結束バンド用多機能緩衝部材の窪み部を示す断面図
【図６】同結束バンド用多機能緩衝部材の窪み部、切込み部、開口部を示す断面図
【図７】同結束バンド用多機能緩衝部材の開口部を示す断面図
【図８】同結束バンド用多機能緩衝部材の図７における使用状況を示す外観斜視図
【図９】同結束バンド用多機能緩衝部材のファスナー部を示す断面図
【図１０】同結束バンド用多機能緩衝部材の結束バンド取り付け実施例を示す部分断          面図
【図１１】同結束バンド用多機能緩衝部材の結束バンド取り付け実施例を示す部分断          面図
【図１２】同結束バンド用多機能緩衝部材の使用状況を示す正面図
【図１３】同結束バンド用多機能緩衝部材の使用状況を示す平面図
【図１４】同結束バンド用多機能緩衝部材の図１３におけるＢ−Ｂ’線断面図
【図１５】同結束バンド用多機能緩衝部材の延長結束バンド接触面を示す正面図
【図１６】同結束バンド用多機能緩衝部材の切込み部を示す円уは円χの部分拡大正            面図
【図１７】同結束バンド用多機能緩衝部材の他の使用状況を示す正面図
【図１８】同結束バンド用多機能緩衝部材の挿通部に他の機能として表示部が設けら            れた状態を示す正面図
【図１９】同結束バンド用多機能緩衝部材の挿通部に他の機能として平面部に接着面            が設けられた状態を示す正面図
【図２０】同結束バンド用多機能緩衝部材の挿通部に他の機能として平面部に取付け            開口部が設けられた状態を示す正面図
【図２１】同結束バンド用多機能緩衝部材の図１９における外部取り付け用平面部と            本体が着脱可能な正面図
【図２２】同結束バンド用多機能緩衝部材の挿通部に一体型の装飾部が設けられた状            態を示す正面図
【図２３】同結束バンド用多機能緩衝部材の図２１における装飾部は本体と着脱可能            である正面図
【図２４】同結束バンド用多機能緩衝部材の取り付け器具用の開口部を示す断面図
【図２５】同結束バンド用多機能緩衝部材の被緊縛物接触面に施された接着面を示          す外観斜視図
【図２６】同結束バンド用多機能緩衝部材の他の実施例を示す外観斜視図
【図２７】同結束バンド用多機能緩衝部材の他の実施例である保護カバーを示す部分            断面図
【図２８】同結束バンド用多機能緩衝部材の図２７における使用状況を示す外観斜視            図
【図２９】同結束バンド用多機能緩衝部材の規格外の実施例を示す平面図
【図３０】同結束バンド用多機能緩衝部材の図２９における他の実施例を示す平面図
【図３１】同結束バンド用多機能緩衝部材の他の規格外の実施例を示す平面図
【図３２】同結束バンド用多機能緩衝部材の図３１における他の実施例を示す平面図
【図３３】同結束バンド用多機能緩衝部材の外部に対して固定器具を使用可能な取付            け開口部が設けられた断面図
【考案を実施するための形態】
【００４９】
以下、本考案の実施の形態を図１〜図３３に基づいて説明する。
【００５０】
図において、１は結束バンドに取り付け可能な多機能緩衝部材である本体部１は、弾力性素材は伸縮性又は軟質性及び一部分を硬質性のいずれかの素材で構成されており、ガイド部2が設けてあって、２は結束バンドを誘導可能な溝部６と挿通部７を設けてあって、断面形状は両端が互いに近寄るスロープ状の傾斜面にガイド部２が設けられ、結束バンド接触面８は前記スロープ状の傾斜と、被緊縛物接触面９の円弧面または平面の形状で構成される略台形を表している。
【００５１】
図2は、本体部１の正面図であって、図３は平面図にA−A’断面線を示し、図4は図３におけるA−A’断面図であって、図２の正面図で目視確認できない溝部６または挿通部７の内部構造を図解した断面図であることを表している。
【００５２】
図５は、図１におけるガイド部２は、構成される挿通部が左右対象に備わって、結束バンド接触面８の中央部近接に設けられた窪み部３は、緊縛された結束バンド使用時の緊縛解除を容易にするための切断器具を挿入可能であって、当該窪み部３を設けたことで結束バンド帯状ベルト１０Ｂを中空に保つスペーサ機能の形状を表している。
【００５３】
図６は、図１におけるガイド部２は、構成される挿通部７が左右対象に備わって、結束バンド接触面８の中央部近接には窪み部３と切込み部４が設けられ、本体部側面には貫通する開口部５が設けられ、弾力性の作用を実現する離間空間であって、少なくとも当該窪み部３、切込み部４、開口部５を設けたことで本体部１に弾発性がそなわるスペーサ機能の形状を表している
【００５４】
図７は、図１における本体部１の結束バンド接触面８と被緊縛物接触面９から立設される外表面は両側面を貫通した開口部５が本体部１の中央部近接に設けていることを表している。
【００５５】
図８は、図７における使用状況であって、結束バンド使用時において対象となる緊縛物の長手方向に併行して設けられた開口部５が収縮率を効果的に作用させる形状であることを表している。
【００５６】
図９は、本体部１のベルト挿通部７の挿通孔内部に結束バンドファスナー１０Ａ機能と同等のファスナー機能が設けてあって、弾力性素材で構成される本体部は当該ファスナー部分を硬質性で構成する山鋸型状の係止爪を有し、結束バンド帯状ベルト１０Ｂには、前記係止爪に噛み合い自在な山鋸型状の係止溝を有する調節ストッパー機能が備わっていることで、結束バンド使用状況と同様の機能を有した本体ファスナー部１４を表している。
【００５７】
図１０は、結束バンドに本体部１を取り付けた状況を示し、図１１は、図１０における結束バンド１０は、結束バンド帯状ベルト１０Ｂのベルト先端部を本体部１に設けた挿通部７に挿入してリングを作り、一周したリング径を保った状態で、左右対象となるもう片方の挿通部７にそのままベルト先端部を挿入して結束バンドファスナー部１０Ａに連続挿通した使用状況を表している。
【００５８】
図１２は、被緊縛物１１を緊縛するため、本体部１のガイド部２に結束バンド１０を挿通配設し、結束バンド接触面８から被緊縛物１１の外周を一周してリングを作り、締め付けリング径を小さくすることで緊縛するため、当該本体部１のガイド部2に結束バンド帯状ベルト１０Ｂのベルト先端部をそのまま結束バンドファスナー部１０Ａに挿通し引き抜くように引き締めることで緊縛固定できることを表している。
【００５９】
図１３は、図１２の平面図にB−B’断面線を示し、図１４は図１３におけるB−B’断面図であって、図１２の正面図で目視確認できない本体部１のガイド部２と結束バンドファスナー部１０Ａのベルト挿通状況の内部構造を図解した断面図であることを表している。
【００６０】
図１５は、本体部1の緩衝部材機能である被緊縛物接触面９が帯状の緩衝部材として延長形成された延長結束バンド接触面１２であって、被緊縛物１１を保護できる緩衝部材機能面が広範におよぶよう構成された形状であって、適度な間隔でベルトガイド機能を有する延長ガイド部１３が設けられていることを表している。
【００６１】
図１６は、図１５における延長結束バンド接触面１２は、結束バンド１０の使用目的に応じて帯状緩衝部材２４の長さを調節できるように等間隔に切り離し可能な延長ガイド切込み部１５が設けられていることを表し、円уは円χの部分拡大図である。
【００６２】
図１７は、図１６における延長された結束バンド接触面８および被緊縛物接触面９で構成される帯状部材は、切り離された部材の機能が他の緩衝部材としての用途に適しており、単体の緩衝部材として再利用することが可能であって、結束バンドの結束バンド帯状ベルト１０Ｂに取り付けることで被緊縛物１１の保護および結束バンド１０の保護にも使用できる形状を表している。
【００６３】
図１８は、本体部１の挿通部７の外部が平面形状に形成され、名称または所定の情報を表示できる表示部１６が設けられた形状を表している。
【００６４】
図１９は、本体部１の挿通部７の外部が平面形状に形成され、平面部１７は外部に取り付け可能な平面部接着面１７Ａを有している形状を表している。
【００６５】
図２０は、本体部１の挿通部７の外部が平面形状に形成され、平面部１７は外部に取り付け可能な、螺子又は釘を使用できる平面部取付け開口部１７Ｂを設けた形状を表している。
【００６６】
図２１は、図２０における平面部取付け開口部１７Ｂを設けた着脱式平面部１８と本体部１が着脱自在な凸凹機能の着脱部１９を設けた形状を表している。
【００６７】
図２２は、本体部１の挿通部７の外部に対して意匠的特徴であるデザインまたはカラーで構成される装飾部２０の形状を表している。
【００６８】
図２３は、図２２における意匠的特徴である着脱式装飾部２１は、本体部１と装飾部材２１Ａが着脱自在な凸凹機能の着脱部１９を設けた形状を表している。
【００６９】
図２４は、被緊縛物接触面９から結束バンド接触面８に、取り付け器具を使用するための貫通した本体部取付け開口部２２を有している形状を表している。
【００７０】
図２５は、被緊縛物接触面９に接着素材が施され、被緊縛物１１に取り付け可能な接着面２３を有している形状を表している。
【００７１】
図２６は、図１におけるガイド部２は、構成される挿通部７が、結束バンド接触面８の中央部近接に設けた形状を表している。
【００７２】
図２７は、図１におけるガイド部２は、構成される挿通部７と連続して一体形成される保護カバー２４であって、結束バンド１０の結束バンドファスナー部１０Aの収容に適した凹形状は、結束バンド１０の結束バンド帯状ベルト１０Bを挿通部７に挿入可能であって、当該保護カバー２４内部に前記結束バンドファスナー部１０Aが収まる使用状況を示し、図２８は同使用状況を外観斜視図で表している。
【００７３】
図２９は、本体部１が複数体それぞれに適度な間隔をあけて連結された形状であって、被緊縛物接触面９が左右並列に一体化されたことにより、結束バンド接触面８に適度な間隔で結束バンド挿通部７を設けることを特徴としており、同じく図３０は図２９における結束バンド用の挿通部７の間隔が幅広く形成可能であることを表している。
【００７４】
図３１は、図２9及び図３０と同様に広い範囲に使用するため本体部１は同一平面上にガイド部２が前後二列に並列し、左右に連続して整列配置された一体型の態様を示している図であって、図３２は図３１における一体型に形成された緩衝部材に切り取り線を設けたことを示しており本体部１が規格外に形成可能でありながら単体に切り離して使用可能であることを表している。
【００７５】
図３３は図１における被緊縛物接触面９が、結束バンド接触面８となることを示してあって、円弧面又は平面によって形成される結束バンド接触面８はガイド部２である溝部６と挿通部７が設けられ、図１から図３２に記載の両端が互いに近寄るスロープ状の傾斜面である断面形状は、外部に対して当接する外部接触面２６となって、本体部１に結束バンド接触面８から貫通する本体部取付け開口部２１が設けられたことで、外部に取り付け可能な螺子又は釘を使用出来て、外部接触面２６は外部に等しく当接可能な三面からなる形状を表している。
する。
【実施例１】
【００７６】
以下、上記構成を図面に従って１実施例として説明する。
図１は本考案の結束バンド用多機能緩衝部材の本体部１が多機能緩衝部材として示される実施形態であり、本体部１に設けられた結束バンド接触面８では両端スロープ状の傾斜部がベルト用のガイド部２となり、結束バンド帯状ベルト１０Ｂを誘導可能な溝部６と、挿入可能な挿通孔を備えた挿通部７が設けられ、断面形状は互いに近寄るスロープ状の結束バンド接触面８と被緊縛物接触面９からなる略台形であって、素材は伸縮性軟質素材で構成され、被緊縛物１１の形状に柔軟に対応できる部材であって、結束バンド１０の素材が変化し緊縛機能が低下した場合に当該伸縮性軟質素材による弾力性が機能低下に対応できる構成を示す実施例である。
【００７７】
図２から図4は本考案の結束バンド用多機能緩衝部材の１実施例であり、図１の結束バンド用多機能緩衝部材の溝部６と挿通部７を示す図４は、前述結束バンド帯状ベルト１０Ｂのズレや歪みを溝部６で是正誘導し、落下防止のための挿通部７に結束バンド帯状ベルト１０Ｂを挿入固定することで被緊縛物１１と結束バンド１０の間で容易に使用できる緩衝部材としての機能を示す実施例である。
【実施例２】
【００７８】
図５から図８は本考案の結束バンド用多機能緩衝部材の１実施例であり、図５から図８は、それぞれが本体部１の特徴とする弾力性のある伸縮性軟質素材の作用である収縮による復元反発力の機能を備える中空、又は離間空間を有していることを表しており、弾力性機能を付与される形状であって、少なくとも窪み部３、又は切込み部４、及び本体部１に貫通する開口部５は、被緊縛物１１以外の他の緊縛物など、例えば配線又は配管又は外部に対しての付属物などを併行して配設することが可能であって、また他の機能として緊縛時に締め付け収縮した本体部１に少なからず中空、又は離間空間が生じることから切断器具を挿入可能であって、結束バンド１０の解除を容易にできることを示す実施例である。
【００７９】
図９は、本考案の結束バンド用多機能緩衝部材の使用状況を示す１実施例であり、本体部１の挿通部７は、挿通孔内部の傾斜面の一部に、結束バンドファスナー部１０Ａのストッパー部と同等の機能である山鋸型状の係止爪を有する調節ストッパー部が設けられ、本体ファスナー部１４が結束バンド帯状ベルト１０Ｂの係止溝に噛み合う構造となり、本来の結束バンド１０のファスナー機能に加え、本体ファスナー部１４の構造により二重に緊縛機能が備わることで、本体部１は伸縮性軟質素材がゴム性の伸縮作用を発揮して被緊縛物１１に対し、より一層の締め付け効果が付加されることを示す実施例である。
【実施例３】
【００８０】
図１０と図１１は、本考案の結束バンド用多機能緩衝部材の使用状況を示す１実施例であり、結束バンド用多機能緩衝部材を結束バンド１０に取り付けた状況の移行図であって、結束バンド用多機能緩衝部材のガイド部２に結束バンド帯状ベルト１０Ｂを結束バンドファスナー部１０Ａ近接まで挿入し取り付けた後、被緊縛物１１を結束バンド帯状ベルト１０Ｂで緊縛することで、もう一方のガイド部２に結束バンド帯状ベルト１０Ｂ先端部を挿通したまま、結束バンドファスナー部１０Ａに挿入し緊縛する状況を示す実施例である。
【００８１】
図１２から図１４は、結束バンド用多機能緩衝部材の使用状況を示す１実施例であり、図１２に示す緊縛時に係る結束バンド１０と被緊縛物１１の間に緩衝部材として使用する状況を正面から表す図１２と、図１２に係る平面から表す図１３、また図１２に係る溝部６と挿通部７を示すために図１４は断面図で表され、前述結束バンド帯状ベルト１０Ｂを挿入固定することで被緊縛物１１と結束バンド１０の間で容易に使用できる緩衝部材としての使用状況と機能を示す実施例である。
【実施例４】
【００８２】
図１５は、本考案の結束バンド用多機能緩衝部材の使用状況を示す１実施例であり、本体部1は、緊縛時において緩衝部材として使用することを特徴としているが、被緊縛物１１の緩衝部材としての効果を求めた作用物の形状は、両接触面が表裏一体となる延長結束バンド接触面１２と同じく延長された被緊縛物接触面９とになることで幅広い緩衝保護機能を付与することが可能となり、延長に伴いベルトガイド機能を有する延長ガイド部１３も適度な間隔に設けることで緩衝部材としての保護機能が適度な間隔で発揮することができ、結束バンド１０が外れないようにガイド機能が設けられたものであって、同時に結束バンド１０自体が外部からの摩擦や傷付きなどによる裂傷防止のための緩衝部材にもなり保護機能を有することを示す実施例である。
【００８３】
図１６は、本考案の結束バンド用多機能緩衝部材の使用状況を示す１実施例であり、図１５に係る図１６は、延長結束バンド接触面１２は、使用目的に応じて長さが調節できて切り離しが容易にできるように切断可能な延長ガイド切込み部１５を設けたことで緩衝部材としての機能が広範におよび、同時に結束バンド１０自体が外部からの摩擦や傷付気などによる裂傷防止のための緩衝部材にもなり保護機能を有することを示す実施例である。
【実施例５】
【００８４】
図１７は、本考案の結束バンド用多機能緩衝部材の１実施例であり、図１６における延長された帯状の緩衝部材が切り離された部材となった場合、再利用に必然性を齎すために結束バンド帯状ベルト１０Ｂに対し緩衝機能の特性を汎用できるように被緊縛物接触面９に備わる形状であって、被緊縛物１１の保護および結束バンド帯状ベルト１０Ｂの保護用セーフティカバーとして使用が可能となり、したがって被緊縛物接触面９と延長結束バンド接触面１２からなる延長ガイド切込み部１５で構成された結束バンド１０に取り付け可能な本物品は、独立した単体の緩衝部材として使用できることを示す実施例である。
【００８５】
図１８は、本考案の結束バンド用多機能緩衝部材の使用状況を示す１実施例であり、本体部1に設けられた挿通部７は、外部に対して名称または所定の情報を表示するため平面に形成された表示部１６は、被緊縛物１１の情報または使用状況の情報を外部に対し容易に確認できる形状で構成されることを示す実施例である。
【００８６】
図１９は、本考案の結束バンド用多機能緩衝部材の使用状況を示す１実施例であり、本体部1の挿通部７は平面部１７が設けられ、外部に対して取り付け可能な平面部接着面１７Ａを有する形状に構成されることを示す実施例である。
【００８７】
図２０は、本考案の結束バンド用多機能緩衝部材の使用状況を示す１実施例であり、図１９に係る外部に対して取り付け可能な平面部１７は、例えば螺子または釘による固定器具など他の取り付け器具を使用可能とした平面部取付け開口部１７Ｂが設けられた形状に構成されることを示す実施例である。
【００８８】
図２１は、本考案の結束バンド用多機能緩衝部材の使用状況を示す１実施例であり、図２０に係る外部に対して取り付け可能な平面部取付け開口部１７Ｂが設けられた着脱式平面部１８は、本体部１と着脱部１９が着脱自在な形状に構成され、分離した着脱式平面部１８を外部に取り付け固定した後、着脱部１９が凸凹機能の如く定位置にセッティングできることを示す実施例である。
【００８９】
図２２と図２３は意匠的特徴を示す１実施例であり、図２２は本体部１の挿通部７に豊富な意匠的デザインまたはカラーの構成で形成される装飾部２０が特徴であり、図２３は図２２に係る意匠的特徴を有する装飾部材２１Ａが本体部１と着脱部１９が着脱自在な形状に構成され、分離した着脱式装飾部２１は他の装飾部材２１Ａと交換可能で装飾部材２１Ａのバリエーションが自在であることを特徴としており、取り付け時は着脱部１９が凸凹機能の如く定位置にセッティングできることを示す実施例である。
【実施例６】
【００９０】
図２４は本考案の結束バンド用多機能緩衝部材の使用状況を示す１実施例であり、本体部取付け開口部２２に取付け器具を用いることで被緊縛物１１に対して取り付け可能であって、図２５の接着面２３は接着素材を有した被緊縛物接触面９が設けられ、例えば被緊縛物１１に対して本体部１を取り付ける場合は、接着剤または両面接着テープによる接着機能を設けることで結束バンドの固定が容易に取り付け緊縛できることを示す実施例である。
【実施例７】
【００９１】
図２６は本考案の結束バンド用多機能緩衝部材の１実施例であり、図１における本体部１の形状が結束バンド接触面８と被緊縛物接触面９は同様であって、ガイド部2の溝部６は断面形状が互いに近寄るスロープ状の結束バンド接触面８に設けられた被緊縛物接触面９からなる略台形であって、挿通部７が互いに近寄るスロープ状の中央部近接に設けられることで結束バンド１０の使用状況に応じた態様に形成される他のバリエーションを示す実施例である。
【実施例８】
【００９２】
図２７と図２８は本考案の結束バンド用多機能緩衝部材の１実施例であり、図１における本体部１の形状が結束バンドファスナー部１０Ａのセーフティ用に保護カバー２４が設けられた態様であって、結束バンド接触面８は挿通部７と中央部近接に向かい連続した一体型の保護カバー２４が設けてあって、結束バンド１０のファスナー部１０Ａが収容可能な凹形状の保護カバー２４は、結束バンド使用時に外部による損傷から結束バンド１０およびファスナー部分１０Ａを保護することを示す実施例である。
【実施例９】
【００９３】
図２９は、本考案の結束バンド用多機能緩衝部材の１実施例であり、図１から図２８における本体部１が規格外として同一平面状に複数成形された形状であって、緩衝材機能を被緊縛物１１に広範に設けることが出来、且つ結束する部分を複数に設けることで被緊縛物１１の保護機能が幅広く強化されて、被緊縛物１１の物品形状に囚われずに用途の幅を広げることができる。  図２９は被緊縛物１１の緊縛箇所を部分的に取り付け緊縛する場合に本体部１が重層しないようにするため、結束バンド機能を一か所に集中して取り付けないように整列した状態を作り出し、美観的な効果を得ることが出来ることに加え、図３０に示すように結束バンド接触面８に設けた結束バンド１０に取りつけ可能な挿通部７同士に適度な間隔を空けることが可能であって使用状況に合わせた幅広の形状に形成できることを表している実施例である。
【００９４】
または図３１は図２９及び図３０における規格外の他の実施例を示しており、複数の本体部１を同一平面上に配列した形状であって、前述結束バンド１０を複数個所または広範に使用する状況において、規格外の態様に応じることを目的に考案されたもので、被緊縛物接触面９及び結束バンド接触面８は表裏一体型形状が特性であるため、図１から図２８に記載された本体部１は単体の形状であり１箇所に１つの結束バンド１０使用に基づいていることが特徴であるが、図２９または図３０に示すように連続して並列する一体型構造の結束バンド用緩衝部材が緊縛する形状に応じた態様に形成されることで多様な使用状況に提供できるものであり、前述記載の意匠的実施例または他の実施例などの特徴を構造上に設けることで結束バンド１０の使用状況が広がり様々な用途に作用するものとして用いることが出来る。  また図３２に示す本体部１を複数設けた形状は一体型に形成されるが、切り取り線２５を施すことで分割可能となり、該図に示す切り取り線２５の延長線は実線に重なって、本体部１の形状は失われないものとして示されており、本体部１はそれぞれが切り離しての単体で使用可能であることも特徴としていることを示す実施例である。
【実施例１０】
【００９５】
図３３は、本考案の結束バンド用多機能緩衝部材の１実施例であり、図１〜図３２に記載の本体部１の形状と機能は結束バンド接触面８と被緊縛接触面９からなり、多機能に付与された態様であるが、これまで被緊縛物接触面９として使用されてきた接触面を結束バンド接触面８へと異なる形態として使用することで、被緊縛物１１と結束バンド１０を外部に対して取り付け可能とする使用状況のバリエーションを提案でき、外部接触面２６を支柱又は壁面に螺子又は釘などの取り付け器具を用いて固定することが可能であって、本体部取付け開口部２２に取り付け器具で外部に固定した後、結束バンド接触面８のガイド部２に結束バンド１０を配設し被緊縛物１１を締め付けることで外部に固定できることを示す実施例である。
【実施例１１】
【００９６】
図１〜図３３に記載の本考案の実施例において、材料の構成として本体部１はシリコーン樹脂を用いているがシリコーン樹脂以外の材料としてゴム及びエラストマー及びウレタン素材など他の伸縮性素材を用いても同様の効果を得ることができる。  また一部の実施例である図９の本体ファスナー部１４となる挿通部は、調節ストッパー機能が備わり、帯状ベルトの係止溝と噛み合うよう山鋸状の係止爪を設けることで構成されるため合成樹脂などの硬質な材料を用いてファスナー機能を発揮できる態様となるが、合成樹脂以外で山鋸状の調節ストッパー機能を備えるバネ弾性を有する材料として、ナイロン、プラスティックなど他の材料でも構成可能である。
【００９７】
図１〜図３３に記載の本考案の実施例において具体的な例や説明を後述する。  本考案の結束バンド用多機能緩衝部材は被緊縛物１１の保護を目的としているが、外装の化粧や塗装面の剥がれ防止、または損傷防止などの緩衝材としての機能に特化しただけではなく、結束バンド１０使用時の多様性に着目し、デザイン性の向上、または結束バンドの使用範囲の拡大など，様々な使用状況に対応する物品を目的として考案してみた。  例えば屋外において配管工または配線工または農作業などで使用する結束バンド１０は、夏場の高温のよるナイロン素材の膨張で結束バンド１０が熱で伸びてしまい、年間を通しての寒暖の環境変化による劣化で緊縛機能が保たれなくなることなどに加え、結束バンド１０はいくら締め付けても結束バンドファスナー部分１０Ａに僅かな隙間ができてしまうことで、例えば水を使用する場合や環境汚染物質を取り扱う場合において、隙間ができてしまうと結束バンド１０の使用が出来ない場合が多々あり、本物品を使用することで課題とされる隙間を無くし、水漏れや空気漏れを防ぐことが可能となり、先に述べた緊縛機能の低下を防ぐことなど取り付け後の作用の改善および強化のための態様とすることができる。  また他の機能として対象物の使用状況を示す情報が表示されることで時間経過による記憶力の低下や健忘による誤認を無くすことができ、また第三者に対しての情報提示ができることで第三者による誤認や過失を無くすことに役立つことができる。さらに昨今、注目されているＤＩＹで、結束バンドが良く使用されている事から、被緊縛物１１の結束機能だけの専用器具だけではなく、結束バンド１０を外部に取り付ける態様とすることや、結束バンド自体が単一な形状でありＴＰＯにあったデザインではないので、単一デザインに、豊富なデザインやカラーバリエーションを加え様々な使用状況や雰囲気に合った結束バンド１０のアイテムとして多機能性を持たせたことが特徴でもある。
【００９８】
図１〜図３３に記載の本考案の実施例において、結束バンド用多機能緩衝部材は全ての実施例においてファスナー機能を設けることが可能であって、本体部１の長尺は長手方向に自在に形成可能であって、例えば当該結束バンド１０の長さは規格に基づいた製品であって、被緊縛物１１を緊縛する範囲が限られているが、ファスナー機能を有した本物品が適度な長尺の形状に成形されることで、結束バンド１０の緊縛時において尺寸の不足を補うことが可能であり、当該結束バンド１０の規格では長尺が不足した状況に対応する延長補助部材として使用できることも特徴としている。
【００９９】
図２７と図２８における本考案の実施例において、結束バンド１０のセーフティ用保護カバーは、前述、図１６または図１７に記載の延長された当該結束バンド用多機能緩衝部材との組み合わせが可能であって、結束バンド全体を保護することが可能であり、外部からの衝撃および摩擦などから結束バンドファスナー部１０Ａおよび結束バンド帯状ベルト１０Ｂを安全に保護することで結束バンド１０の機能保全に役立つものである。  また、前述記載の意匠的特徴を有する装飾部材２１Ａ、または外部に対して多目的に使用される形状との自在な組み合わせによって様々なバリエーションに構成され、結束バンド１０の用途が広範に求められることが考えられる。
【０１００】
本考案の他の実施例として、図２９から図３２に記載の当該結束バンド用多機能緩衝部材は、結束バンドに取り付ける位置または部分も自在であって、無数にある被緊縛物１１の形状に合わせ、当該結束バンド緩衝部材の形状も様々なバリエーションに形成することが可能である。  例えば結束バンド帯状ベルト１０Ｂを通す本体部１の挿通部７は構成要素であるため変えることは出来ないが、挿通部７以外は自在に形成できることで被緊縛物接触面９を幅広く形成することが可能であり緩衝材としての機能が広範に及ぶようにすることができる。  また当該多機能緩衝部材は規格外に形成することも可能で、被緊縛物１１に合った形状に形成することができることに加え、当該本体部１に複数の結束バンドを取り付ける挿通部７を適度な間隔で設けることで、被緊縛物１１を複数個所で広範に緊縛することができる。  また緩衝材以外の使用目的としては結束バンド自体を保護するセーフティカバーとして、また結束バンド全体の装飾をする形状に形成することでファッション的アイテムとして使用することも可能である。
【０１０１】
以上、上述記載の本考案の実施例において、図３３は外部接触面２６が設けられ、該結束バンド用多機能緩衝部材は被緊縛物１１を結束する緊縛機能の強化または補助機能だけではなく、被緊縛物１１の保護を目的とした緩衝部材であって、同時に結束バンド１０を外部からの衝撃や裂傷から保護することも特徴としており、前述機能に加え、例えば本体部１は固定器具を用いて外部壁面に取り付けることも可能であって、本体部１に設けられた左右対称の挿通部７に、それぞれ一帯ずつの結束バンド１０を挿通すると、同時に2つの被緊縛物１１を緊縛固定することができることで、結束バンド１０の用途を広げた作用物として、または外部に対しての緩衝部材としての機能、または外部に取り付ける固定器具材として応用できることなど多様性を結束バンド１０に持たせることが出来る。
【産業上の利用可能性】
【０１０２】
被緊縛物および結束バンドの保護または緩衝部材として結束バンドに取り付け可能な結束バンド用多機能緩衝部材の製造に利用できる。
【符号の説明】
【０１０３】
１    本体部
２    ガイド部
３    窪み部
４    切込み部
５    開口部
６    溝部
７    挿通部
８    結束バンド接触面
９    被緊縛物接触面
１０    結束バンド
１０Ａ  結束バンドファスナー部
１０Ｂ  結束バンド帯状ベルト
１１    被緊縛物
１２    延長結束バンド接触面
１３    延長ガイド部
１４    本体ファスナー部
１５    延長ガイド切込み部
１６    表示部
１７    平面部
１７Ａ  平面部接着面
１７Ｂ  平面部取付け開口部
１８    着脱式平面部
１９    着脱部
２０    装飾部
２１    着脱式装飾部
２１Ａ  装飾部材
２２    本体部取付け開口部
２３    接着面
２４    保護カバー
２５    切り取り線
２６    外部接触面
【図１】
0003208957.tif 000003
【図２】
0003208957.tif 000004
【図３】
0003208957.tif 000005
【図４】
0003208957.tif 000006
【図５】
0003208957.tif 000007
【図６】
0003208957.tif 000008
【図７】
0003208957.tif 000009
【図８】
0003208957.tif 000010
【図９】
0003208957.tif 000011
【図１０】
0003208957.tif 000012
【図１１】
0003208957.tif 000013
【図１２】
0003208957.tif 000014
【図１３】
0003208957.tif 000015
【図１４】
0003208957.tif 000016
【図１５】
0003208957.tif 000017
【図１６】
0003208957.tif 000018
【図１７】
0003208957.tif 000019
【図１８】
0003208957.tif 000020
【図１９】
0003208957.tif 000021
【図２０】
0003208957.tif 000022
【図２１】
0003208957.tif 000023
【図２２】
0003208957.tif 000024
【図２３】
0003208957.tif 000025
【図２４】
0003208957.tif 000026
【図２５】
0003208957.tif 000027
【図２６】
0003208957.tif 000028
【図２７】
0003208957.tif 000029
【図２８】
0003208957.tif 000030
【図２９】
0003208957.tif 000031
【図３０】
0003208957.tif 000032
【図３１】
0003208957.tif 000033
【図３２】
0003208957.tif 000034
【図３３】
0003208957.tif 000035
【手続補正書】
【提出日】平成28年12月15日(2016.12.15)
【手続補正１】
【補正対象書類名】実用新案登録請求の範囲
【補正対象項目名】請求項５
【補正方法】変更
【補正の内容】
【請求項５】
前記結束バンド挿通部は、前記結束バンドのファスナー機能を有することを特徴とする請求項４に記載の結束バンド用多機能緩衝部材。
【手続補正２】
【補正対象書類名】実用新案登録請求の範囲
【補正対象項目名】請求項６
【補正方法】変更
【補正の内容】
【請求項６】
前記結束バンド接触面は、断面台形形状を有する角柱の少なくとも傾斜面によって形成されることを特徴とする請求項１から請求項５いずれかに記載の結束バンド用多機能緩衝部材。
【手続補正３】
【補正対象書類名】実用新案登録請求の範囲
【補正対象項目名】請求項７
【補正方法】変更
【補正の内容】
【請求項７】
前記被緊縛物接触面は円弧面または平面によって形成されることを特徴とする請求項１から請求項６いずれかに記載の結束バンド用多機能緩衝部材。
【手続補正４】
【補正対象書類名】実用新案登録請求の範囲
【補正対象項目名】請求項８
【補正方法】変更
【補正の内容】
【請求項８】
前記互いに近寄る傾斜面が形成する角度が、結束バンドファスナー部に対する結束バンド帯状ベルトの進入角度に等しいことを特徴とする請求項１から請求項７のいずれかに記載の結束バンド用多機能緩衝部材。
【手続補正５】
【補正対象書類名】実用新案登録請求の範囲
【補正対象項目名】請求項１０
【補正方法】変更
【補正の内容】
【請求項１０】
前記延長結束バンド接触面を有する帯状部材は、長さ調節用に切り離し可能な切り込み部を設けた延長ガイド部とを有する請求項９に記載の結束バンド用多機能緩衝部材。
【手続補正６】
【補正対象書類名】実用新案登録請求の範囲
【補正対象項目名】請求項１２
【補正方法】変更
【補正の内容】
【請求項１２】
外部に対して取り付けるための平面部を有する請求項１から請求項１１のいずれかに記載の結束バンド用多機能緩衝部材。
【手続補正７】
【補正対象書類名】実用新案登録請求の範囲
【補正対象項目名】請求項１６
【補正方法】変更
【補正の内容】
【請求項１６】
前記結束バンドのファスナー部を有するヘッド部分を包み込む保護カバーが設けられた請求項１から請求項１５のいずれかに記載の結束バンド用多機能緩衝部材。
【手続補正８】
【補正対象書類名】実用新案登録請求の範囲
【補正対象項目名】請求項１８
【補正方法】変更
【補正の内容】
【請求項１８】
外部と被緊縛物との間に取り付けて用いる緩衝部材であって、前記被緊縛物を固定するための結束バンドに接する結束バンド接触面であって、互いに近寄る傾斜面を有するものと、前記外部に接する外部接触面と、前記結束バンド接触面に形成されるガイド部とを有し、外部に対して取り付けるための開口部を有する結束バンド用多機能緩衝部材。
【手続補正９】
【補正対象書類名】明細書
【補正対象項目名】００２９
【補正方法】変更
【補正の内容】
【００２９】
また、第１８の解決手段は、外部と被緊縛物との間に取り付けて用いる緩衝部材であって、前記被緊縛物と固定するための結束バンドに接する結束バンド接触面であって、互いに近寄る傾斜面を有するものと、前記外部に接する外部接触面と、前記結束バンド接触面に形成されるガイド部とを有し、外部に対して取り付けるための開口部を設けたものである。